(57)【特許請求の範囲】
【請求項１】
前身頃の男性局部に対応した左右方向中央部をなして前身頃の左右脇部と縫い合わされた、伸縮性を有した単独の生地よりなり、この生地自身の少なくとも裁断形状と縫い合わせにより外側に膨らみ男性局部をホールドする膨出部を備え、この膨出部を含む前身頃とこの前身頃に胴まわり方向に繋がるように縫い合わされた後身頃とが股間に位置し伸縮性を有する股部片を介し縫い合わされて繋がり、前記膨出部は前記股部片の左右方向中央部で、左右脇部と股部片との縫い合わせ位置よりも股部片の前後方向中央側に部分的に入り込む入り込み部にて股部片に縫い合わされていることを特徴とする男性用のパンツ。
【請求項２】
膨出部は、股部片とはその左右方向中央部で股間部の前後方向ほぼ中央位置まで部分的に入り込む入り込み部で縫い合わされていることを特徴とする請求項１に記載の男性用のパンツ。
【請求項３】
股部片は、その前縁および後縁の左右方向の中央部で、膨出部および後身頃の後身頃片に縫い合わされ、前身頃の左側の脇部片は、膨出部の左側縁と股部片前縁左側の未縫い合わせ部とに縫い合わされ、前身頃の右側の脇部片は、膨出部の右側縁と股部片前縁右側の未縫い合わせ部とに縫い合わされている請求項１、２のいずれか1項に記載の男性用の下着。
【請求項４】
後身頃の左右の脇部片と後身頃片とは個別の生地よりなり、後身頃片はその下縁から上方に向け広がり、かつ、外側に凸に湾曲した左右縁にて左右の脇部片と縫い合わされている請求項３に記載の男性用のパンツ。
【請求項５】
膨出部は股部片、後身頃片と共に少なくとも互いの繋がり方向に伸縮性を有し、左右の脇部片は少なくとも胴まわり方向に伸縮性を有している請求項４に記載の男性用のパンツ。
【請求項６】
全ての生地は、直交する２方向に伸縮性を有している請求項１〜５のいずれか1項に記載の男性用のパンツ。
【発明の詳細な説明】
【技術分野】
【０００１】
本発明は男性用の下半身衣類に関し、詳しくは局部に対応した膨出部を持つようにして適度な開放感、ホールド感のある男性用のパンツに関するものである。
【背景技術】
【０００２】
裁断形状と縫い合わせにより局部に対応した膨らみ部ないしは膨出部を形成した男性用パンツは古くから知られている（例えば、特許文献１、２、４参照。）。また、近時では前身頃、後身頃、それらの間の股部を一連の生地によって形成し、その前身頃と前部左右の脇部を形成する生地とを縫い合わせる裁断形状と縫い合わせの組合せに、前身頃の側縁に並ぶギャザーまたはタックを加えることにより膨出部を形成すると共に、生地の伸縮性を利用してさらに改良した男性用の下半身衣類も知られている（例えば、特許文献３）。特許文献３は、この改良によれば、適度な開放感とホールド感が得られる上に、着用感、運動追随性をよくすることができ、トランクスとブリーフの長所を備え、両者の短所をなくしたものとなる旨記載している。
【特許文献１】実願昭５５−１４３８９３号（実開昭５７−０６９８０１号）のマイクロフィルム
【特許文献２】実願昭６２−０６００７０号（実開昭６３−１６７１０３号）のマイクロフィルム
【特許文献３】特許第２５５２６０１号公報
【特許文献４】特開平１１−１００７０２号公報
【発明の開示】
【発明が解決しようとする課題】
【０００３】
しかし、上記特許文献３に記載のものに用いている生地は、いわゆるツーウエイタイプといわれる２方向伸縮生地であることが認められる。このため、横方向の伸縮性は下半身衣類の全体においてウエスト部まわり、腹部まわり、および尻部まわりへのフィット性と、運動追随性とを得るのに好適であるが、生地は高価であるにもかかわらず、前身頃、股部および後身頃が続く方向の縦向きの伸縮性は下半身衣類をウエスト部から引き下ろす働きをしてしまう。従って、ウエストまわりのゴム糸などによる収縮力を高めないと、胴および脚間の屈伸時などに膨らみ度が高く、かつ、くびれによる引っ掛かりのない腹部で特に滑り落ちやすい。このようなことがあると、折角の膨らみ部が局部から下方にずれてホールド感が得られなかったり、ずれによる違和感を与えたり、運動追随性、特に屈伸にたいする追随性を損なったりしやすい。
【０００４】
また、これが解消する程度にウエスト部の収縮力や摩擦力を高めると、ウエスト部に圧迫感を与えたり、圧迫痕を残したりする原因になるし、ウエスト部より下の部分を縦向きの伸びを伴い、股部を引き上げる働きをするので、股間を圧迫し過剰な着用感を及ぼしてしまう。
【０００５】
これらに対応するのに、生地の伸縮性を上記のような問題のない程度にまで一律に弱めるのでは、膨出部を始めとする全体でのフィット性や運動追随性が低下し、特許文献１、２に記載のものに近づいてしまう。
【０００６】
本発明の目的は、生地の伸縮性をそれによるずれや圧迫の問題なしに低コストで活かし、圧迫感なくフィット性、適度な開放感とホールド性を満足し着用感および運動追随性のよい男性用のパンツを提供することにある。
【課題を解決するための手段】
【０００７】
上記のような目的を達成するために、本発明の男性用のパンツは、前身頃の男性局部に対応した左右方向中央部をなして前身頃の左右脇部と縫い合わされた、伸縮性を有した単独の生地よりなり、この生地自身の少なくとも裁断形状と縫い合わせにより外側に膨らみ男性局部をホールドする膨出部を備え、この膨出部を含む前身頃とこの前身頃に胴まわり方向に繋がるように縫い合わされた後身頃とが股間に位置し伸縮性を有する股部片を介し縫い合わされて繋がり、前記膨出部は前記股部片の左右方向中央部で、左右脇部と股部片との縫い合わせ位置よりも股部片の前後方向中央側に部分的に入り込む入り込み部にて股部片に縫い合わされていることを特徴としている。
【０００８】
このような構成では、膨出部が、ワンウエイタイプの１方向伸縮生地でよく低コスト化が図れるにもかかわらず、膨出部の左右縁と前身頃の左右脇部との縫い合わせと、股部片の膨出部が縫い合わされた部分の前身頃の左右脇部との縫い合せまたは連続と、による立体形状による人体へのフィット性を得ながら、特に、膨出部は、ギャザー、タック、ダーツといった少なくとも自身の裁断形状と縫い合わせにより立体形状を得て、外側に膨らみ男性局部をホールドする膨出部となって、局部に対する適度な開放感およびホールド性を確保し、しかも、膨出部の股部片との縫い合わせが、左右脇部の股部片との縫い合わせ位置よりも股間に位置する股部片の前後方向中央側に左右方向の中央部で部分的に入り込んでなされて、局部に対しその下まわりからも開放感およびホールド感が、伸縮性による運動追随性を伴い適度に与えられるし、特に、座った姿勢でも局部に圧迫感や突っ張り感を与えるようなことがない。
【０００９】
上記において、さらに、膨出部は、股部片とはその左右方向中央部で股間部の前後方向ほぼ中央位置まで部分的に入り込む入り込み部で縫い合わされている特徴とすることができる。
【００１０】
上記において、さらに、股部片は、その前縁および後縁の左右方向の中央部で、膨出部および後身頃の後身頃片に縫い合わされ、前身頃の左側の脇部片は、膨出部の左側縁と股部片前縁左側の未縫い合わせ部とに縫い合わされ、前身頃の右側の脇部片は、膨出部の右側縁と股部片前縁右側の未縫い合わせ部とに縫い合わされていることを特徴とすることができる。
【００１１】
上記において、さらに、後身頃の左右の脇部片と後身頃片とは個別の生地よりなり、後身頃片はその下縁から上方に向け広がり、かつ、外側に凸に湾曲した左右縁にて左右の脇部片と縫い合わされていることを特徴とすることができる。
【００１２】
上記において、さらに、膨出部は股部片、後身頃片と共に少なくとも互いの繋がり方向に伸縮性を有し、左右の脇部片は少なくとも胴まわり方向に伸縮性を有していることを特徴とすることができる。
【００１３】
上記において、さらに、全ての生地は、直交する２方向に伸縮性を有していることを特徴とすることができる。
【００１４】
本発明のそれ以上の目的および特徴は、以下の詳細な説明および図面の記載によって明らかになる。本発明の各特徴は、それ単独で、あるいは可能な限りにおいて種々な組合せで複合して採用することができる。
【発明の効果】
【００１５】
本発明の男性用のパンツによれば、膨出部が、ワンウエイタイプの１方向伸縮生地でよく低コスト化が図れるにもかかわらず、膨出部の左右縁と前身頃の左右脇部との縫い合わせと、股部片の膨出部が縫い合わされた部分の、前身頃の左右脇部との縫い合せまたは連続と、による立体形状による人体へのフィット性を得ながら、少なくとも自身の裁断形状と縫い合わせにより立体形状を得て、外側に膨らみ男性局部をホールドする膨出部となって、局部に対する適度な開放感およびホールド性を確保し、膨出部の股部片との縫い合わせが、左右での脇部と股部片との縫い合わせ位置よりも股間に位置する股部片の前後方向中央側に左右方向の中央部で部分的に入り込んでなされ、局部に対し下まわりからも開放感およびホールド感が、伸縮性による運動追随性を伴い適度に与えられるし、座った姿勢でも局部に圧迫感や突っ張り感を与えるようなことがない。
【発明を実施するための最良の形態】
【００１６】
本発明に係る男性用のパンツの実施の形態について図１〜図１１を参照しながら詳細に説明し、本発明の理解に供する。以下の説明は本発明の具体例であって、特許請求の範囲の記載の内容を特に限定するものではない。
【００１７】
図１〜図６に示す１つの例のパンツ１、図７〜図９に示す今１つの例のパンツ１において、前身頃１１、後身頃１２、およびそれらの間の股部１３を、それらの繋がり方向の伸縮性Ｃを有した生地よりなる図１（ａ）に示すような前身頃片１４および股部片１５と、前記繋がり方向に直角な胴まわり方向の伸縮性Ｄを有した生地よりなる後身頃片１６を縫い合わせて形成している。また、前身頃片１４にそれの側縁部から中央側に延びる図２、図３に示すようなダーツ１８、図７、図８に示すようなギャザー１９、あるいは図示しないタックの少なくとも１つによる膨出ゆとり部またはおよび膨出部２０を形成して局部に対応させている。また、図１〜図６に示す例のパンツ１および図７〜図９に示す例のパンツ１における、左右の脇部２１、２２を形成する図１（ａ）に示すような、胴まわり方向の伸縮性Ｄを有した生地よりなる、左側の前、後脇部片２１ａ、２１ｂ、右側の前後脇部片２２ａ、２２ｂとともに、いずれの生地も編み組織によって一方向の伸縮性を有した、いわゆるワンウエイタイプのものを採用しており、繊維材料としては綿１００％のもの、または綿６０〜７０％、ポリエステル４０〜３０％の範囲で混紡したものが好適である。しかし、これに限られることはないし、場合によっては伸縮糸を併用したものや、専ら伸縮糸によって伸縮性を有したものを採用してもよい。なお、いずれのパンツ１もウエスト部にはゴムベルトやゴムの織り込み、縫込み、通しにより伸縮度を高めた腰部３１を有し、裾まわり部３２には周方向に伸縮性を有したパイピング３３を施している。
【００１８】
前身頃片１４で形成する膨出ゆとり部またはおよび膨出部２０は、図２〜図６に示すダーツ１８による場合、図１（ａ）に示す前身頃片１４の側縁に複数並んで形成したダーツ１８用の三角カット部４１を縫い合わせて、それ単独で周縁を絞り中央部が膨出部２０となる立体形状が得られ、その保形性も優れている。また、三角カット部４１の切り込みの向き、切り込み縁の形状によって膨出部２０の膨出形状を三次元的によく規制できる。従って、その設計によっては局部に対し適度な開放感とホールド感がバランスよく得られる膨出部２０を実現しやすい。図示する例では、図３に示すような下部寄りの最大幅Ａを持った最大幅部分から上端幅Ｂまで幅を狭くしながら立ち上がる前身頃１１を形成する前身頃片１４の側縁に対しほぼ直角に直線状で入る下部切り込み縁４１ａと、この下部切り込み縁４１ａとの間で三角カット部４１を形成するように下部切り込み縁４１ａに対し所定の角度を持ったほぼ直線状の上部切り込み縁４１ｂとを有したものとしている。これに対し、ギャザー１９やタックは、前身頃片１４の側縁をたぐり寄せたり、重ね合わせて周縁を絞る働きをして立体形状が得られる。なお、膨出部２０を得るのにプレス成形を採用し、あるいは併用することもできる。
【００１９】
しかし、前身頃片１４の側縁に与える前記たぐり寄せ状態や重ね合わせ状態は脇部側との縫い合わせ部でしか保持されず、中央側はフリーになるので、膨出するゆとりは与えるが、膨出状態、特に特定形状への形状規制性や保形性は低い。これは、パンツ１を平坦に折り畳むときのかさ張りを抑えるのに好適ではあるが、局部に対するホールド感を低下させる。そこで、ダーツ１８にギャザー１９やタックを併用することにより、膨出部２０の形状規制を適度に緩め補助的な膨出ゆとり部として働かせることもできる。もっとも、場合によっては膨出ゆとり部だけで対応することもできる。
【００２０】
いずれにしても、前身頃１１、後身頃１２、股部１３を形成する前身頃片１４、股部片１５、後身頃片１６は、互いの裁断形状および縫い合わせと、股部片１５および後身頃片１６の縫い合わせ部間での伸縮性Ｃ、Ｄの方向の違いとによってそれらの対応する腹部および股部まわりの立体形状が図２、図７に示すように得られる。また、前身頃片１４では特にダーツ１８、ギャザー１９、タックの少なくとも１つによる膨出ゆとり部またはおよび膨出部２０が加わって局部に対応した立体形状が得られる。これらによって、腹部、尻部および股部まわりへのフィット性と局部に対する適度な開放感およびホールド性を確保することができる。しかも、後身頃片１６が胴まわりの一方向の伸縮性Ｄを有することによって胴部まわりへのフィット性をも確保し、かつ、前身頃片１４および股部片１５におけるそれらの繋がり方向への伸縮性Ｃ、つまり縦向きな一方向の伸縮性Ｃが、特に膨出部２０を持つ前側で働き、その通常の膨らみ度を縦方向にて抑えてしかも着用時の胴および脚間の屈伸などに対する運動追随性を確保しながら、後身頃片１６がいわゆる縦向きの伸縮性Ｃを有しないことによって、縦向きの過度な収縮力が働いて局部に対する適度な開放感とホールド性との微妙なバランスを損なったり、股部片１５を引き上げて股間を圧迫するようなことも抑えられる。これらの結果、着用感の優れたものとなる。
【００２１】
さらに、図２〜図６に示す例のパンツ１、および図７〜図９に示す例のパンツ１のいずれも、既述したように前身頃１１、後身頃１２およびそれらの間の股部１３を、それらの繋がり方向に伸縮性Ｃを有した生地よりなる前身頃片１４および股部片１５と、前記繋がり方向に直角な胴まわり方向に伸縮性Ｄを有した生地よりなる後身頃片１６を縫い合わせて形成するのに加え、図１（ａ）に破線で縫い合わせ相手を示しているように、前身頃１１および後身頃１２の間の左右の脇部２１、２２を、それらの繋がり方向である胴まわりに伸縮性Ｄを有した生地よりなり互いに縫い合わされる左側の前、後各脇部片２１ａ、２１ｂどうしと、右側の前、後各脇部片２２ａ、２２ｂどうしとで形成し、左右の前脇部片２１ａ、２２ａは前身頃片１４の左縁および股部片１５の前縁と縫い合わせ、左右の後脇部片２１ｂ、２２ｂは後身頃片１６の右縁および股部片１５の後縁と縫い合わせている。
【００２２】
これにより、前身頃片１４、股部片１５、後身頃片１６、左右の前、後各脇部片２１ａ、２１ｂ、２２ａ、２２ｂのそれぞれは、裾まわり部３２においては図１（ｂ）に模式的に示す用に、胴部まわりにおいては図１（ｃ）に示すように縫い合わされ、それぞれの間で、矢印Ｃ、Ｄで示す方向の伸縮性を発揮する。この結果、既述した前身頃片１４、股部片１５、後身頃片１６を組み合わせたことによる特徴を発揮するのに併せ、さらに、パンツ１の全体において、後身頃片１６、左右の前、後脇部片２１ａ、２１ｂ、２２ａ、２２ｂ、前身頃片１４の裁断形状および縫い合わせと、左右の前脇部片２１ａ、２２ａおよび前身頃片１４の縫い合わせ部間での伸縮性Ｃ、Ｄの方向の違いとによって、腹部および股部を含めた胴部まわりの立体形状を有利に得ながら、後身頃片１６、左右の前、後脇部片２１ａ、２１ｂ、２２ａ、２２ｂのそれぞれが胴部まわり方向の伸縮性Ｄを発揮して、胴部まわりの伸縮性Ｄを有していない前身頃片１４が形成する膨出ゆとり部ないしは膨出部２０を腹部に当てがうような働きを持って胴部まわりによくフィットさせられる。同時に、前身頃片１４が伸縮方向の違う左右の前脇部片２１ａ、２２ａとの縫い合わせによって縦向きの伸縮性Ｃが抑えられて、局部に対する適度な開放感とホールド性との微妙なバランスを損なったり、股部片１５を引き上げ股間を圧迫するようなことをさらに抑えながら、膨出ゆとり部ないしは膨出部２０の範囲内では前身頃片１４の伸縮性Ｃを生かして屈伸時などの局部の位置の変化などにも柔軟に対応できるようになり、着用感のさらに優れたものとなる。
【００２３】
ここで、前身頃片１４により形成した前身頃１１が、その最大幅Ａと、上端部幅Ｂとにつき、
（１／３）・Ａ≦Ｂ≦（２／３）・Ａ
の関係を満足したものとするのが好適である。具体的には、このような寸法関係によって、前身頃片１４が形成する前身頃１１部を、前身頃片１４によって形成する局部に対応した膨出ゆとり部ないしは膨出部２０に見合う程度の大きさ範囲に限っており、局部に対し過不足ない膨出ゆとり部ないしは膨出部２０を形成して、設定通りのバランスのよい開放感およびホールド感を実現できるようにしながら、左右の前脇部片２１ａ、２２ａの胴まわりの伸縮性Ｄが前部における中央のより近くまで及んで胴部まわりへのフィット性および運動追随性をより高めることができる。
【００２４】
特に、本実施の形態では、前身頃片１４、股部片１５、後身頃片１６、左右の前、後各脇部片２１ａ、２１ｂ、２２ａ、２２ｂそれぞれは、図１（ａ）に示すように、それらが有している一方向の伸縮性Ｃ、Ｄに対し直交する方向の、それらよりも小さな矢印で示す伸縮性ｃ、ｄを許容し、あるいは持つものとして、伸縮性Ｃ、Ｄによる働きと協働してパンツ１全体の身体へのフィット性、運動追随性を高めている。しかし、これは必須の条件ではない。
【００２５】
特に、図１〜図６に示す例のパンツ１は、前身頃片１４が股部片１５側にその中央部で入り込む図１（ｃ）、図２、図３に示すような入り込み部５１を有して股部片１５と縫い合わせると共に、膨出ゆとり部またはおよび膨出部２０を前記股部片１５への入り込み部まで及んで形成し局部に対応させたものとしている。これにより、前身頃片１４による局部に対応した膨出ゆとり部ないしは膨出部２０が、股部片１５側への中央部で入り込んで形成されて、局部に対しその下まわりからも開放感およびホールド感が、前身頃片１４および股部片１５による縦向きの伸縮性Ｃによる運動追随性を伴い適度に与えられるし、特に、座った姿勢でも局部に圧迫感や突っ張り感を与えるようなことがない。
【００２６】
また、前身頃片１４を図１（ａ）に示すように左右に分割した左右前身頃片１４ａ、１４ｂよりなり、左右前身頃片１４ａ、１４ｂの打ち合わせ代１４ａ１、１４ｂ１間で前開き部５２を形成している。これにより、前身頃１１部に前開き部５２を形成するのに、前身頃片１４を左右に分割した左右前身頃片１４ａ、１４ｂどうしの打ち合わせ代１４ａ１、１４ｂ１間を利用して実現し、この打ち合わせ代１４ａ１、１４ｂ１に見合う二重構造部ができるだけで前身頃片１４が形成する膨出ゆとり部ないしは膨出部２０による立体化を損なうことはない。しかも、左右前身頃片１４ａ、１４ｂどうしの縫い合わせによって前開き部５２を打ち合わせ状態、つまり閉じ状態に安定させられるので、不用意に開いたり、それによってホールド感が損なわれるようなことがない。
【００２７】
また、これに対応して、左右前身頃片１４ａ、１４ｂの打ち合わせ代１４ａ１、１４ｂ１は生地の伸縮を阻止する図２、図５に示すようなロック縫い部５３としてあり、前開き部５２の閉じ状態への安定性、開口域の規制性とを高めている。同時に前開き部52内には心地７１を挟み込んでさらに安定性を確保している。また、股部片１５の前縁および後縁と前身頃片１４および左右の前後脇部片２１ａ、２１ｂ、２２ａ、２２ｂとの縫い合わせ部はそこでの伸びを止める糸締まり状態での伸び止め縫い部５４とし、その他は若干の伸縮を許容するような図２、図６などに示すような糸緩み状態での緩み縫い部５５として、パンツ１全体の保形性やフィット性、運動追随性を高めている。
【００２８】
なお、図１（ａ）に示す前身頃片１４、股部片１５、後身頃片１６、左右の前、後各脇部片２１ａ、２１ｂ、２２ａ、２２ｂそれぞれは、縫い代、打ち合わせ代を含む展開形状および大きさで示している。
【００２９】
図７〜図９に示す例のパンツ１は、その前身頃片１４が股部片１５側への入り込み部を有していない点と、前開き部５２を形成している打ち合わせ代１４ａ１、１４ｂ１どうしに、ボタン孔６１とボタン６２とによる掛け止め構造を採用している点で、図１〜図６に示す例と異なっている。特に、前身頃片１４により形成した前身頃１１部は局部に対応した幅の下部から上部に向けて幅が大きくなるようにしている。これにより、前身頃１１の下部で局部に対応する幅を満足して上部にむけて大きくなる幅を利用して、局部に対する膨出部２０を目立たなく形成しやすい。他の構造および奏する作用は特に変わるところはない。よって、対応する部分および部材には同一の符号を付し、重複する図示および説明は省略する。
【００３０】
次に、他の実施の形態の男性用のパンツを説明する。この他の実施の形態の男性用のパンツは、図１０および図２〜図６に示す１つの例のパンツ１、図７〜図９に示す今１つの例のパンツ１において、前身頃１１、後身頃１２、およびそれらの間の股部１３を、それらの繋がり方向の伸縮性Ｃを有した生地よりなる図１０に示すような後身頃片１６および股部片１５と、前記繋がり方向に直角な胴まわり方向の伸縮性Ｄを有した生地よりなる前身頃片１４を縫い合わせて形成している。また、前身頃片１４にそれの側縁部から中央側に延びる図２、図３に示すようなダーツ１８、図７、図８に示すようなギャザー１９、あるいは図示しないタックの少なくとも１つによる膨出ゆとり部またはおよび膨出部２０を形成して局部に対応させている。また、図１０および図２〜図６に示す例のパンツ１および図７〜図９に示す例のパンツ１における、左右の脇部２１、２２を形成する図１０に示すような、胴まわり方向の伸縮性Ｄを有した生地よりなる、左側の前、後脇部片２１ａ、２１ｂ、右側の前後脇部片２２ａ、２２ｂとともに、いずれの生地も編み組織によって一方向の伸縮性を有した、いわゆるワンウエイタイプのものを採用しており、繊維材料としては綿１００％のもの、または綿６０〜７０％、ポリエステル４０〜３０％の範囲で混紡したものが好適である。しかし、これに限られることはないし、場合によっては伸縮糸を併用したものや、専ら伸縮糸によって伸縮性を有したものを採用してもよい。なお、いずれのパンツ１もウエスト部にはゴムベルトやゴムの織り込み、縫込み、通しにより伸縮度を高めた腰部３１を有し、裾まわり部３２には周方向に伸縮性を有したパイピング３３を施している。
【００３１】
本実施形態によれば、ツーウエイタイプの生地を用いる場合に比して低コスト化が図れる上、前身頃片１４、後身頃片１６、股部片１５の裁断形状と縫い合わせ、および縫い合わせ部間での伸縮方向Ｃ、Ｄの違いによって、腹部、尻部および股部まわりと局部に対応した立体形状を得ながら、前身頃片１４では特にギャザー、タック、ダーツ１８の少なくとも１つによる膨出ゆとり部またはおよび膨出部２０が加わって局部に対応した立体形状が得られることとによって、腹部および股部まわりへのフィット性と局部に対する適度な開放感およびホールド性を確保し、かつ、前身頃片１４が胴まわりの一方向の伸縮性Ｄを有することによって胴まわりへのフィット性をも確保し、かつ、後身頃片１６および股部片１５におけるそれらの繋がり方向への伸縮性Ｃ、つまり縦向きな一方向の伸縮性Ｃが特に大きな膨らみのある尻部側において働き、その通常時の膨らみ度を縦方向にて抑えてしかも着用時の胴および脚間の屈伸などに対する運動追随性を確保し、引っ掛かりのない腹部側での滑り落ちを有効に防止しながら、前身頃片１４が胴まわりの伸縮性を有していわゆる縦向きの伸縮性を有しないことによって、膨出ゆとり部膨出部２０の通常時の膨らみ度を胴まわりに抑えてしかも着用時に縦向きの伸縮性Ｃの過度な収縮力が働いて局部に対する適度な開放感とホールド性との微妙なバランスを損なったり、股部片を引き上げて股間を圧迫するようなことも抑えられ、着用感の優れたものとなる。さらに、後身頃片１６、左右の前、後脇部片２１ａ，２１ｂ、２２ａ、２２ｂ、前身頃片１４の裁断形状および縫い合わせと、左右の後脇部片２１ｂ、２２ｂおよび後身頃片１６の縫い合わせ部間での伸縮方向の違いとによって、腹部および股部を含めた胴部まわりの立体形状を有利に得ながら、前身頃片１４、左右の前、後脇部片２１ａ、２１ｂ、２２ａ、２２ｂのそれぞれが胴部まわりの伸縮性Ｄを発揮して、胴部まわりの伸縮性Ｄを有している前身頃片１４が形成する膨出ゆとり部ないしは膨出部２０を腹部に当てがうような働きを持って胴部まわりによくフィットするのに加え、後身頃片１６が伸縮方向の違う左右の後脇部片２１ｂ、２ｂとの縫い合わせによって縦向きの伸縮性Ｃが抑えられて、前身頃片１４の縦向きの伸縮性Ｃが局部に対する適度な開放感とホールド性との微妙なバランスを損なったり、股部を引き上げ股間を圧迫するようなことをさらに抑えながら、膨出ゆとり部またはおよび膨出部２０の範囲内では前身頃片１４の伸縮性Ｄを生かして局部の変化により柔軟に対応できる。
【００３２】
なお、本例でのタック１８は本縫いによって、前身頃片１４の胴回り方向の伸縮性Ｄを抑えて、ホールド感が伸縮性Ｄによって万一にも低下するようなことを防止している。また、前身頃片１４が胴まわり方向の伸縮性Ｄを有していることに関し、図４に示すパンツ１での下部から上部に幅が大きくなるタイプとの組み合わせると特に有効である。
【００３３】
本発明のさらに別の実施の形態の男性用のパンツは、図１１および図２〜図６に示す１つの例のパンツ１、図７〜図９に示す今１つの例のパンツ１において、前身頃１１、後身頃１２、およびそれらの間の股部１３を、それらの繋がり方向の伸縮性Ｃを有した生地よりなる図１１に示すような前身頃片１４、後身頃片１６および股部片１５を縫い合わせて形成している。また、前身頃片１４にそれの側縁部から中央側に延びる図２、図３に示すようなダーツ１８、図７、図８に示すようなギャザー１９、あるいは図示しないタックの少なくとも１つによる膨出ゆとり部またはおよび膨出部２０を形成して局部に対応させている。また、図１１および図２〜図６に示す例のパンツ１および図７〜図９に示す例のパンツ１における、左右の脇部２１、２２を形成する図１１に示すような、胴まわり方向の伸縮性Ｄを有した生地よりなる、左側の前、後脇部片２１ａ、２１ｂ、右側の前後脇部片２２ａ、２２ｂとともに、いずれの生地も編み組織によって一方向の伸縮性を有した、いわゆるワンウエイタイプのものを採用しており、繊維材料としては綿１００％のもの、または綿６０〜７０％、ポリエステル４０〜３０％の範囲で混紡したものが好適である。しかし、これに限られることはないし、場合によっては伸縮糸を併用したものや、専ら伸縮糸によって伸縮性を有したものを採用してもよい。なお、いずれのパンツ１もウエスト部にはゴムベルトやゴムの織り込み、縫込み、通しにより伸縮度を高めた腰部３１を有し、裾まわり部３２には周方向に伸縮性を有したパイピング３３を施している。
【００３４】
本実施形態によれば、ツーウエイタイプの生地を用いる場合に比して低コスト化が図れる上、前身頃片１４、後身頃片１６、股部片１５の裁断形状と縫い合わせによって、腹部および股部まわりと局部に対応した立体形状を得ながら、腹部および股部まわりへのフィット性と局部に対する適度な開放感およびホールド性と、屈伸などに対する運動追随性を確保しながら、、他の部分、つまり左右の脇部２１、２２との関係、具体的には伸縮方向ＣとＤの違いによる胴部まわりへのフィット性と、縦向きな伸縮性の抑制作用から、縦向きＣの過度な収縮力が働いて局部に対する適度な開放感とホールド性との微妙なバランスを損なったり、股部を引き上げ股間を圧迫するようなことが抑えられ、着用感の優れたものとなる。具体的には、左右の前脇部片２１ａ、２２ａによる裁断形状と縫い合わせ、および伸縮方向Ｄによって、前身頃片１４による膨出ゆとり部ないしは膨出部２０を腹部に当てがうように胴部まわりによくフィットさせると共に、局部に対する適度な開放感とホールド性との微妙なバランスを損なったり、股部を引き上げ股間を圧迫するようなことをさらに抑えながら、膨出ゆとり部ないしは膨出部２０の範囲内では前身頃片１４の伸縮性を生かして局部の変化に柔軟に対応でき、着用感のさらに優れたものとなる。
【００３５】
ここで、本発明は、上記した各実施の形態で示した例を総合して、前身頃１１、後身頃１２およびそれらの間の左右の脇部２１、２２を、それらの繋がり方向に並ぶ前身頃片１４、後身頃片１２および左右の脇部片２１ａ、２１ｂ、２２ａ、２２ｂの縫い合わせにより形成し、少なくとも左右の脇部片２１ａ、２１ｂ、２２ａ、２２ｂを前記繋がり方向に伸縮性Ｄを有した生地とし、前身頃１１および後身頃１２の間の股部１３を形成する股部片１５を含む他を前記繋がり方向と直角な縦方向の伸縮性Ｃを有した生地とし、前身頃片１４にそれの側縁部から中央側に延びるギャザー、タック、ダーツ１８の少なくとも１つによる膨出ゆとり部またはおよび膨出部２０を形成して局部に対応させたものとすることができる。
【００３６】
これによれば、生地はいずれもいわゆるワンウエイタイプの１方向伸縮生地でよく、ツーウエイタイプの生地を用いる場合に比して低コスト化が図れる。にもかかわらず、前身頃１１、後身頃１２、およびそれらの間の左右の脇部２１、２２の少なくとも左右の脇部片２１ａ、２１ｂ、２２ａ、２２ｂが前記繋がり方向に１方向の伸縮性Ｄを有したもので、これらと縫い合わせる前身頃片１４、後身頃片１６を伴い胴部まわりにフィットする緊張と、前記のような縫い合わせによって前身頃片１４またはおよび後身頃片１６が有している縦向きの一方向伸縮性Ｃを抑えて、それらが互いに、あるいはそれらの間の股部１３を形成する股部片１５と共に、腹部、股部および尻部へ縦向きまわりに適度にフィットしかつ胴および脚間の屈伸に追随する緊張とを持たせながら、互いの裁断形状および縫い合わせと、左右の脇部片２１ａ、２１ｂ、２２ａ、２２ｂおよび前身頃片１４またはおよび後身頃片１６の縫い合わせ部間での伸縮方向の違いとによってそれらの対応する腹部、尻部および股部まわりの立体形状と、前身頃片１４では特にギャザー、タック、ダーツ１８の少なくとも１つによる膨出ゆとり部またはおよび膨出部２０が加わって局部に対応した立体形状とを併せ得、腹部および股部まわりへのフィット性と局部に対する適度な開放感およびホールド性を確保し、かつ、縦向きの伸縮性Ｃによる過度な収縮力が働いて局部に対する適度な開放感とホールド性との微妙なバランスを損なったり、股部片を引き上げて股間を圧迫するようなことも抑えられる。
【００３７】
この場合、前身頃１１および後身頃１２の間の股部１３を、それらの繋がり方向に伸縮性Ｃを有した股部片１５として前身頃片１４および後身頃片１６と縫い合わせて形成し、左右の脇部片２１ａ、２１ｂ、２２ａ、２２ｂはその前半部２１ａ、２２ａを股部片１５の前縁に縫い合わせ、後半部２１ｂ，２２ｂを股部片１５の後縁に縫い合わせたものとすることにより、股部片１５と前身頃片１４、後身頃片１６および左右前後の脇部片２１ａ、２１ｂ、２２ａ、２２ｂとの裁断形状と縫い合わせ、およびそれらの縫い合わせ部間での伸縮方向の異同とによって、複雑な股部の立体形状へのフィット性と運動追随性とが高まる。さらに、繊維材料に抗菌性のものを採用して抗菌性を発揮させることもできる。
【産業上の利用可能性】
【００３８】
本発明は男性用のパンツに低コストで実用でき、局部を含む全体へのフィット性、運動追随性のある着用感の優れたものとなる。
【図面の簡単な説明】
【００３９】
【図１】本発明の第一実施形態に係る１つの例の男性用パンツを示し、その（ａ）はパンツを形成する前身頃片、股部片、後身頃片、左右の前、後各脇部片の展開図、その（ｂ）は股部片、左側の前後脇部によって得られる左側裾まわり部、および股部片、右側の前後脇部によって得られる右側裾まわり部の模式図、その（ｃ）はパンツを横断して見た模式図である。
【図２】図１のパンツの斜視図である。
【図３】図２のパンツの正面図である。
【図４】図１のパンツの背面図である。
【図５】図１のパンツの前開き部の横断面図である。
【図６】図１のパンツの後身頃および左右の後脇部片との縫い合わせ部を示す横断面図である。
【図７】本発明の実施の形態に係る今１つの例の男性用パンツを示す斜視図である。
【図８】図７のパンツの正面図である。
【図９】図７のパンツの背面図である。
【図１０】本発明の他の実施の形態に係る１つの例の男性用パンツを示し、パンツを形成する前身頃片、股部片、後身頃片、左右の前、後各脇部片の展開図である。
【図１１】本発明の別の実施の形態に係る１つの例の男性用パンツを示し、パンツを形成する前身頃片、股部片、後身頃片、左右の前、後各脇部片の展開図である。
【符号の説明】
【００４０】
１  パンツ
１１  前身頃
１２  後身頃
１３  股部
１４  前身頃片
１４ａ、１４ｂ  左右の前身頃片
１４ａ１、１４ｂ１  打ち合わせ代
１５  股部片
１６  後身頃片
１８  ダーツ
１９  ギャザー
２０  膨出部
２１、２２  左右の脇部
２１ａ、２１ｂ  左側の前後脇部片
２２ａ、２２ｂ  右側の前後脇部片
５１  入り込み部
５２  前開き部
５３  ロック縫い部
【図１】
0004390088.tif 000002
【図２】
0004390088.tif 000003
【図３】
0004390088.tif 000004
【図４】
0004390088.tif 000005
【図５】
0004390088.tif 000006
【図６】
0004390088.tif 000007
【図７】
0004390088.tif 000008
【図８】
0004390088.tif 000009
【図９】
0004390088.tif 000010
【図１０】
0004390088.tif 000011
【図１１】
0004390088.tif 000012